(57)【要約】【課題】ソフトウェア処理の実行手段を備えた電子機器がフリーズ状態に陥っても、通常の用途に必須の操作キーだけを用いてフリーズ状態を解消する。【解決手段】計時部３３が計測した電源キー１７の継続押下時間が第１の所定時間以下であるとき、第１制御部２８はサスペンド状態をとる。電源キー１７の継続押下時間が第１の所定時間より長い第２の所定時間を超えると共に第３の所定時間以下であるとき、第１制御部２８は携帯通信端末１の電源を遮断するように制御する。第２制御部３２は、計時部３３及び第１制御部２８のリセット信号の入力端に接続されている。第２制御部３２は、ハードウェアのみにより構成されている。第２制御部３２は、第１制御部２８がフリーズ状態に陥った場合、計時部３３が計測した電源キー１７の継続押下時間が第２の所定時間より長い第３の所定時間を超えたと判断したとき、第１制御部２８に対してリセット信号を送出する。【選択図】図２
2010267188.tif 000002
【特許請求の範囲】
【請求項１】
電源キーと、
前記電源キーが継続して押下される時間を計測することができる計時手段と、
ソフトウェア処理の実行中に、前記計時手段が計測した時間が第１の所定時間以下であると判断したときサスペンド状態をとり、前記計時手段が計測した時間が前記第１の所定時間より長い第２の所定時間を超えると共に第３の所定時間以下であると判断したとき電源を遮断するように制御することができる第１の制御手段と、
前記計時手段が計測した時間が前記第２の所定時間より長い第３の所定時間を超えたと判断したとき前記第１の制御手段に対してリセット信号を送出することができる第２の制御手段と
を備えたことを特徴とする電子機器。
【請求項２】
前記第２の制御手段は、ハードウェアのみにより構成されたことを特徴とする請求項１に記載の電子機器。
【請求項３】
前記第１の制御手段がフリーズ状態に陥った場合に前記第２の制御手段からリセット信号を送出することにより、前記第１の制御手段を初期状態に復帰させることができることを特徴とする請求項１に記載の電子機器。
【発明の詳細な説明】
【技術分野】
【０００１】
本発明は電子機器に係り、特にソフトウェア処理の実行手段を備えた電子機器に関する。
【背景技術】
【０００２】
ソフトウェア処理を実行するプロセッサ等を備えた電子機器は、使用中にソフトウェア処理が暴走したり制御不能になったりして、フリーズ（又はハングアップ）状態に陥る場合がある。このような現象は、例えば過度に処理負荷の大きいソフトウェア処理を実行しようとした場合の資源の不足によって生じる。フリーズ状態の症状によっては、ソフトウェア制御のもとで所定の手順に従い電子機器の電源を遮断することや、正常な動作状態に復帰することができなくなる。
【０００３】
このようなフリーズ状態に陥った場合の対策として、例えば電子機器に収納された電池をいったん取り外して強制的に電源を遮断し、フリーズ状態を解除するという方法がとられることがある。しかし、電池の取り外しは面倒なだけでなく、電池を再び収納するときの誤挿入や電池の紛失などの問題を引き起こしかねないので、望ましい方法ではない。
【０００４】
考えられる別の方法は、電子機器にフリーズ解除のためのキースイッチを増設し、当該キースイッチを押下して電子機器を初期化するものである。しかしキースイッチの増設はスペース効率や操作性の低下を招き、特に携帯型電子機器のような小型の電子機器にとっては好ましい解決策とはいえない。
【０００５】
この種の問題に対して、従来、遠隔操作手段を組み合わせた制御によりフリーズ状態を解消するという技術が知られている（例えば、特許文献１参照。）。上記の特許文献1に開示された電子機器は、リモコンと接続可能とされている。リモコン側には、操作部の操作部材同時押しを検出するとリセット信号を発生する同時押し検出回路が設けられている。機器本体側には、リセット信号を受信したことに応じてＣＰＵがリセット動作するように電源回路部を制御するリセット回路が設けられている。リモコンと機器本体とは、同時押し検出回路から発生されるリセット信号をリセット回路に導くためのリセット専用ラインで接続されている。
【先行技術文献】
【特許文献】
【０００６】
【特許文献１】特開２００６−１０９１５８号公報（第８ページ、図１）
【発明の概要】
【発明が解決しようとする課題】
【０００７】
上述した特許文献１に開示された電子機器は、例えばリモコン操作可能な携帯型音楽プレーヤであって、本体側がフリーズ状態に陥ったときに例えばリモコンの３つの操作ボタンを同時押しすることによってリセット信号を発生させ、本体側のＣＰＵの電源を遮断して初期化するというものである。
【０００８】
特許文献１に開示された技術は、したがって、リモコン操作ができない電子機器や、多数の操作ボタンを設けることができない電子機器にそのまま適用することはできないという問題がある。
【０００９】
本発明は上記問題を解決するためになされたもので、通常の用途に必須の操作キーだけを用いてフリーズ状態を解消することができる電子機器を提供することを目的とする。
【課題を解決するための手段】
【００１０】
上記目的を達成するために、本発明の電子機器は、電源キーと、前記電源キーが継続して押下される時間を計測することができる計時手段と、ソフトウェア処理の実行中に、前記計時手段が計測した時間が第１の所定時間以下であると判断したときサスペンド状態をとり、前記計時手段が計測した時間が第１の所定時間より長い第２の所定時間を超えると共に第３の所定時間以下であると判断したとき電源を遮断するように制御することができる第１の制御手段と、前記計時手段が計測した時間が前記第２の所定時間より長い第３の所定時間を超えたと判断したとき前記ソフトウェア制御手段に対してリセット信号を送出することができる第２の制御手段を備えたことを特徴とする。
【発明の効果】
【００１１】
本発明によれば、電源キーが継続して押下された時間を区別することにより、通常の用途に必須の操作キーだけを用いて電子機器のフリーズ状態を解消することができる。
【図面の簡単な説明】
【００１２】
【図１】本発明の実施例に係る電子機器である携帯通信端末の外観を表す斜視図。
【図２】本発明の実施例に係る携帯通信端末の構成を表すブロック図。
【図３】本発明の実施例に係る第２制御部の構成および接続を例示するブロック図。
【発明を実施するための形態】
【００１３】
以下、図１ないし図３を参照して本発明の実施例を説明する。なお以下の各図を参照しながら上下左右又は水平、垂直（鉛直）をいうときは、特に断らない限り、図が表された紙面における上下左右又は水平、垂直（鉛直）を意味するものとする。また、各図の間で同一の符号は、同一の構成を表すものとする。
【００１４】
図１は、本発明の実施例１に係る電子機器である携帯通信端末１の外観を表す斜視図である。携帯通信端末１は、長方形（図示するように角部にＲを持たせた長方形に近い形状を含む。）に厚みを持たせた形状をなす筐体１０の正面（使用時に使用者の側を向く面）の側に、タッチパネル１１を備えて構成されている。
【００１５】
タッチパネル１１は、後述する表示部１２に透明な材料からなるタッチセンサを重畳させて構成されたものである。タッチパネル１１は、表示部１２の画面上にソフトウェア制御された操作キーを表示して操作入力手段として用いられると共に、各種のテキストや画像を表示することができる表示手段としても用いられる。
【００１６】
筐体１０には、前述したタッチパネル１１を構成する表示部１２が取り付けられている。表示部１２は、例えば液晶又は有機エレクトロルミネッセンス（有機ＥＬ）デバイスからなる。表示部１２はテキスト又は画像を表示することができ、携帯通信端末１は表示部１２を用いて画面表示を伴うアプリケーション（例えば電子メール送受信、ウェブページ閲覧、電話帳の作成と閲覧、その他）を実行することができる。
【００１７】
表示部１２の上に重畳させて、図示しないタッチセンサ１３が設けられている。タッチセンサ１３は透明な材料からなり、筐体１０の正面の一部をなすようにして設けられている。上述したタッチパネル１１は、表示部１２とタッチセンサ１３を組み合わせて構成される。
【００１８】
筐体１０には、上方に受話部１５が、下方に送話部１６がそれぞれ取り付けられている。受話部１５及び送話部１６は、携帯通信端末１の正面方向を向いて取り付けられている。携帯通信端末１は、受話部１５と送話部１６を備えたことにより、音声通話に用いることができる。
【００１９】
携帯通信端末１は、筐体１０の側面に電源キー１７を備えている。電源キー１７は、携帯通信端末１の電源オン及びオフの操作に用いられるほか、後述する制御のための操作に兼用される。
【００２０】
図２は、携帯通信端末１のブロック図である。携帯通信端末１は、アンテナ２５と送受信部２６を備え、図示しない移動通信基地局との間で電波の送受信をすることができる。携帯通信端末１は、音声インターフェース部２７、第１制御部２８、ランダムアクセスメモリ（ＲＡＭ）２９、読み出し専用メモリ（ＲＯＭ）３０、ストレージ部３１、第２制御部３２及び計時部３３を備えている。
【００２１】
送受信部２５、音声インターフェース部２７、ＲＡＭ２９、ＲＯＭ３０及びストレージ部３１並びに図１を参照して説明した表示部１２とタッチセンサ１３は、例えば共通バスを通してそれぞれ第１制御部２８に接続され、第１制御部２８によって監視及び制御される。第１制御部２８は、例えばマイクロプロセッサのような処理デバイスが単一で、又は複数のチップが組み合わされて構成される。第１制御部２８は、リセット信号の入力端を備えている。
【００２２】
ＲＡＭ２９は、携帯通信端末１の機能を実現するために第１制御部２８が所要のプログラム又はデータを随時読み書きして使用するメモリである。ＲＯＭ３０は、プログラム又はデータが予め書き込まれたメモリである。ストレージ部３１は、データの読み書きが可能な不揮発性の記憶装置である。
【００２３】
音声通話の場合、相手方から上記の基地局を通して送られてくる符号化された音声信号は、アンテナ２５を経て送受信部２６において受信されると共に復調及び誤り訂正等の処理がされ、さらに音声インターフェース部２７において復号されると共に受話部１５から再生される。また、送話部１６がピックアップした音声は音声インターフェース部２７において符号化され、送受信部２６において誤り訂正符号化、変調及び増幅された後アンテナ２５から基地局へ向けて送信される。第１制御部２８は、送受信部２６及び音声インターフェース部２７を制御して、上記の音声通話を実行させる。
【００２４】
データ通信の場合、相手方から上記の基地局を通して送られてくるデータ信号は、アンテナ２５を経て送受信部２６において受信されると共に復調、誤り訂正等の処理がされ、制御部２８に送られてＲＡＭ２９又はストレージ部３１に書き込まれたり表示部１４に表示されたりする。また、タッチパネル１１から入力されたりＲＡＭ２９若しくはストレージ部３１から読み出されたりしたデータは、送受信部２６において誤り訂正符号化、変調及び増幅された後アンテナ２５から基地局へ向けて送信される。
【００２５】
計時部３３は電源キー１７に接続されており、電源キー１７が継続して押下される時間を計測することができる。携帯通信端末１が電源オンの状態にあって第１制御部２８がソフトウェア処理の実行中に電源キー１７が押下された場合、第１制御部２８は、計時部３３が計測した電源キー１７の継続押下時間を第１の所定時間及び第２の所定時間（後者は前者より長い）と比較する。
【００２６】
電源キー１７の継続押下時間が第１の所定時間以下であるとき、第１制御部２８はサスペンド状態をとることができる。その場合、第１制御部２８は実行中の処理をサスペンドすると共に、表示部１２にサスペンド状態を表す表示をさせる。
【００２７】
電源キー１７の継続押下時間が第２の所定時間を超えると共に第３の所定時間以下であるとき、第１制御部２８は携帯通信端末１の電源を遮断するように制御することができる。一方、電源キー１７の継続押下時間が第１の所定時間を超えると共に第２の所定時間以下であるとき、第１制御部２８は処理実行中の状態を保つことができる。
【００２８】
第２制御部３２は、計時部３３及び第１制御部２８のリセット信号の入力端に接続されている。第２制御部３２および計時部３３は、ハードウェアのみにより構成されている（第２制御部３２の構成および接続の一例を、図３に示す。）。第２制御部３２は、図３の例においては、微分回路部４１とリセット信号形成回路部４２により構成される。微分回路部４１においては、計時部３３により生成された、信号の変化を基点としてその変化幅をアナログ信号として生成する。微分回路部４１により生成されたアナログ信号はリセット信号生成回路部４２において、デジタル的な信号に変換され、第１制御部２８に入力される。
【００２９】
第１制御部２８が過負荷等の理由によりフリーズ状態に陥った場合、ハードウェアのみにより構成された第２制御部３２は、計時部３３が計測した電源キー１７の継続押下時間が第２の所定時間より長い第３の所定時間を超えたと判断したとき、第１制御部２８に対してリセット信号を送出することができる。第１制御部２８は、当該リセット信号を受けて初期化され、フリーズ状態を解消することができる。
【００３０】
以上に説明した本発明の実施例によれば、ソフトウェア処理を実行する第１制御部と別にハードウェアで構成した第２制御部を設けたので、電源キーを第３の所定時間以上の時間にわたり継続して押す操作により電源キー（通常の用途に必須の操作キー）だけを用いて電子機器のフリーズ状態を解消することができる。
【００３１】
以上の各実施例の説明において、携帯通信端末、タッチパネル、その他の構成、形状、接続、その他の部材の形状、配置等は例示であり、本発明の要旨を逸脱しない範囲でさまざまな変形が可能である。例えば、電子機器の筐体は単一に限るものではなく、２以上の筐体を相互に可動にして連結した構成の電子機器に対しても本発明を適用することができる。
【符号の説明】
【００３２】
１  携帯通信端末
１０  筐体
１１  タッチパネル
１２  表示部
１３  タッチセンサ
１５  受話部
１６  送話部
１７  電源キー
２５  アンテナ
２６  送受信部
２７  音声インターフェース部
２８  第１制御部
２９  ＲＡＭ
３０  ＲＯＭ
３１  ストレージ部
３２  第２制御部
３３  計時部
４１  微分回路部
４２  リセット信号生成回路部
【図１】
2010267188.tif 000003
【図２】
2010267188.tif 000004
【図３】
2010267188.tif 000005